(57)【要約】  ＩｏＴデバイスから無線ネットワークに対するデータ送信時の輻輳やオーバーロードを回避するため、第１位置において、第１タイミングでゲートウェイ機能を実行して、第１位置付近に存在する複数のデバイスからデータを収集し、基地局に対して集約データを送信し、第１位置とは異なる第２位置において、第１タイミングとは異なる第２タイミングでゲートウェイ機能を実行して、第２位置付近に存在する複数のデバイスからデータを収集し、基地局に対して集約データを送信するように、少なくとも１つのゲートウェイ装置を制御する。
2018056385.tif 000002
【特許請求の範囲】
【請求項１】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理装置。
【請求項２】
第１位置において、第１タイミングでゲートウェイ機能を実行して、前記第１位置付近に存在するデバイスからデータを収集し、基地局に対して集約データを送信し、
前記第１位置とは異なる第２位置において、前記第１タイミングとは異なる第２タイミングでゲートウェイ機能を実行して、前記第２位置付近に存在するデバイスからデータを収集し、前記基地局に対して集約データを送信するように、
第１位置から第２位置まで移動する１つのゲートウェイ装置を制御する請求項１に記載の情報処理装置。
【請求項３】
第１位置において、第１タイミングで、前記第１位置付近に存在するデバイスからデータを収集し、基地局に対して集約データを送信する第１ゲートウェイ装置と、
前記第１位置とは異なる第２位置において、前記第１タイミングとは異なる第２タイミングで、前記第２位置付近に存在するデバイスからデータを収集し、前記基地局に対して集約データを送信する第２ゲートウェイ装置とを制御する請求項１に記載の情報処理装置。
【請求項４】
前記ゲートウェイ装置を、前記基地局によって設定されるセル内の各位置を一定方向に巡回させる請求項３に記載の情報処理装置。
【請求項５】
前記ゲートウェイ装置を、前記基地局によって設定されるセル内の各位置をランダムに巡回させる請求項３に記載の情報処理装置。
【請求項６】
前記ゲートウェイ装置を、前記基地局によって設定されるセル内の各位置を優先順位に基づいて巡回させる請求項３に記載の情報処理装置。
【請求項７】
前記ゲートウェイ装置が、各位置において、前記デバイスに対して、異なるデータ送信タイミングをマルチキャストで指示し、前記データ送信タイミングのうち、最後の時刻まで前記各デバイスから受信したデータを蓄積して前記基地局に送信するように前記ゲートウェイ装置を制御する請求項１乃至６のいずれか１項に記載の情報処理装置。
【請求項８】
前記第１位置に存在する前記ゲートウェイ装置と、前記第２位置に存在する前記ゲートウェイ装置とで、前記データ送信タイミングを変化させる請求項７に記載の情報処理装置。
【請求項９】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信する送信手段と、
前記第１位置から前記第２位置まで移動する移動手段と、
を備えたゲートウェイ装置。
【請求項１０】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理方法。
【請求項１１】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理プログラム。
【発明の詳細な説明】
【技術分野】
【０００１】
本発明は、情報処理装置、ゲートウェイ装置、情報処理方法および情報処理プログラムに関する。
【背景技術】
【０００２】
非特許文献１において、多数のＩｏＴ(Internet of Things)デバイスが、無線ネットワークを介してＭＴＣ(Machine Type Communication)サーバとデータのやりとりを行う形態について開示がある。
【先行技術文献】
【非特許文献】
【０００３】
【非特許文献１】3GPP TR 22.891 V14.1.0 (2016-06)
【発明の概要】
【発明が解決しようとする課題】
【０００４】
しかしながら、上記文献に記載の技術において、多数のＩｏＴデバイスから同時に無線ネットワークにアクセスがあった場合、無線ネットワークにおける、輻輳やオーバーロードを避けられないという課題がある。【０００５】
本発明の目的は、上述の課題を解決する技術を提供することにある。
【課題を解決するための手段】
【０００６】
上記目的を達成するため、本発明に係る装置は、
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理装置である。【０００７】
上記目的を達成するため、本発明に係る他の装置は、
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信する送信手段と、
前記第１位置から前記第２位置まで移動する移動手段と、
を備えたゲートウェイ装置である。【０００８】
上記目的を達成するため、本発明に係る方法は、
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理方法である。【０００９】
上記目的を達成するため、本発明に係るプログラムは、
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理プログラムである。
【発明の効果】
【００１０】
本発明によれば、多数のＩｏＴデバイスから無線ネットワークにアクセスがあった場合、無線ネットワークにおける、輻輳やオーバーロードを回避することができる。
【図面の簡単な説明】
【００１１】
【図１Ａ】本発明の第１実施形態に係る通信処理システムの構成を示すブロック図である。
【図１Ｂ】本発明の第１実施形態に係る通信処理システムの構成を示すブロック図である。
【図２】本発明の第２実施形態に係る通信処理システムの構成を示す図である。
【図３】本発明の第２実施形態に係る通信処理システムの処理の流れを示すシーケンス図である。
【図４】本発明の第２実施形態に係る通信処理システムにかかるユーザポリシテーブルを示す図である。
【図５】本発明の第２実施形態に係る通信処理システムにかかるネットワークポリシテーブルを示す図である。
【図６】本発明の第２実施形態に係る通信処理システムにおけるデータの送信タイミングを示すタイムチャートである。
【図７】本発明の第２実施形態に係る通信処理システムの他の構成を示す図である。
【発明を実施するための形態】
【００１２】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１３】
［第１実施形態］
本発明の第１実施形態としての情報処理装置１００について、図１Ａ、図１Ｂを用いて説明する。情報処理装置１００は、複数の場所でゲートウェイ機能を制御して、複数のデバイスからデータを収集するための装置である。
【００１４】
図１Ａに示すゲートウェイ装置１５０は、第１位置１１０において、第１タイミングでゲートウェイ機能を実行し、第１位置１１０付近に存在する複数のデバイス１１１〜１１５からデータを収集して集約データを生成し、基地局１３０に対して集約データを送信する。
【００１５】
一方、ゲートウェイ装置１５０は、第１位置１１０とは異なる第２位置１２０に移動し、第１タイミングとは異なる第２タイミングでゲートウェイ機能を実行し、第２位置１２０付近に存在する複数のデバイス１２１〜１２７からデータを収集して集約データを生成し、基地局１３０に対して集約データを送信する。
【００１６】
情報処理装置１００は、ゲートウェイ装置１５０を制御して上記の機能を実現させる。
【００１７】
図１Ｂに示すゲートウェイ装置１５１は、第１位置１１０において、第１タイミングでゲートウェイ機能を実行し、第１位置１１０付近に存在する複数のデバイス１１１〜１１５からデータを収集して集約データを生成し、基地局１３０に対して集約データを送信する。
【００１８】
その後、ゲートウェイ装置１５１からゲートウェイ機能を引き継いだゲートウェイ装置１５２は、第１位置１１０とは異なる第２位置１２０において、第１タイミングとは異なる第２タイミングでゲートウェイ機能を実行し、第２位置付近に存在する複数のデバイス１２１〜１２７からデータを収集して集約データを生成し、基地局１３０に対して集約データを送信する。
【００１９】
情報処理装置１００は、ゲートウェイ装置１５１、１５２を制御して上記の機能を実現させる。
【００２０】
以上、図１Ａ、図１Ｂに示す本実施形態によれば、デバイスから基地局へのデータの送信時間が重ならないように制御することができるため、同じ無線リソースを使うことが可能となり、無線リソースを効率的に使用することができる。また、複数のデバイスからのデータをゲートウェイ装置で集約することで基地局での処理が軽減され、無線ネットワークの輻輳およびオーバーロードの緩和が可能となる。
【００２１】
［第２実施形態］
本発明の第２実施形態としての情報処理システム２００について、図２以降を用いて説明する。
【００２２】
情報処理システム２００は、ＭＴＣサーバ２０１と、コアネットワーク２０２と、基地局２０３と、ゲートウェイ装置２０４と、ＩｏＴデバイス（以降、単にデバイスと称する）２１１〜２１９とを含む。図２では、便宜上９つのＩｏＴデバイスしか図示していないが、セル２１０内に設けられた数百、数千、または数万のＩｏＴデバイスの一部を表わしたものと考えることができる。
【００２３】
図２に示すとおり、ゲートウェイ装置２０４は例えばドローンのような遠隔制御移動体であり、セル２１０内の様々な位置に移動できる。ＭＴＣサーバ２０１は、コアネットワーク２０２および基地局２０３を介して、ゲートウェイ装置２０４を制御して、デバイス２１１〜２１９からのデータの収集を行なう。例えば、ゲートウェイ装置２０４を位置Ａに移動させると、近接するデバイス２１１〜２１３から順次データを収集させ、集約データとして基地局２０３に送信させる。次に、ゲートウェイ装置２０４を位置Ｂに移動させると近接するデバイス２１４〜２１６から順次データを収集させ、集約データとして基地局２０３に送信させる。同様に、ゲートウェイ装置２０４を位置Ｃに移動させると近接するデバイスデバイス２１７〜２１９からデータを収集させ、集約データとして基地局２０３に送信させる。このように、ゲートウェイ装置を移動させて順次データを収集することにより、多数のＩｏＴデバイスから無線ネットワークへの同時期のアクセスが想定される場合でも、ゲートウェイ装置や無線ネットワークにおける輻輳やオーバーロードを避けることができる。なお、ドローンが移動する時間は必要になるが、それに起因するデータ送信の遅れは問題にならない。一般的に、ＩｏＴデバイスからのデータ収集周期が３０分、１時間など比較的長く時間的にクリティカルでないからである。
【００２４】
図３は、図２で示した各機能構成間のデータのやりとりを示すシーケンス図である。
【００２５】
ＭＴＣサーバ２０１は、図４に示すユーザポリシテーブル４００を保持しており、例えばユーザから特定のセル２１０内の温度データを取得したいとの要求を受けた場合、ユーザポリシに合うユーザポリシ番号として１を決定しコアネットワーク２０２に送信する（Ｓ３０１）。
【００２６】
コアネットワーク２０２は図５に示すネットワークポリシテーブル５００を保持しており、ユーザポリシ番号からネットワークポリシ番号を導き出す。そして、ネットワークポリシ番号に関連付けられた、特定のセル内に存在するＩｏＴデバイス識別子（C-RNTI: Cell-Radio Network Temporary ID）を取得し、ゲートウェイ装置２０４に送信する（Ｓ３０３）。
基地局２０３は、コアネットワーク２０２から指定されたＩｏＴデバイス識別子を有するデバイス位置Ａ、Ｂ、Ｃをゲートウェイ装置２０４に通知する（Ｓ３０５）。
【００２７】
ゲートウェイ装置２０４は、通知された位置Ａに移動し（Ｓ３０７）、位置Ａの周辺のデバイス２１１〜２１３に対し一定の範囲内でランダム、かつ、お互いに重ならないデータ送信タイミングを設定する（Ｓ３０９）。さらに、デバイス２１１〜２１３のそれぞれに向けてマルチキャストを使ってデータ送信タイミングを通知する（Ｓ３１１）。なおここでは、ゲートウェイ装置２０４自体が、各デバイスのデータ送信タイミングを決定しているが、本発明はこれに限定されるものではなく、基地局２０３からゲートウェイ装置２０４に、各デバイスのデータ送信タイミングを通知してもよい。
【００２８】
デバイス２１１〜２１３は、ゲートウェイ装置２０４から受信したデータ送信タイミングに合わせて、バラバラのタイミングでデータを送信する（Ｓ３１３）。
【００２９】
ゲートウェイ装置２０４は、デバイスからの送信データを蓄積し（Ｓ３１５）、最後のデバイスからのデータを送信するタイミング（時刻）まで待って、蓄積データを集約してＭＴＣサーバ２０１に送信する（Ｓ３１７）。位置Ａでの蓄積データを集約してＭＴＣサーバ２０１に送信すると、次にステップＳ３１９において、位置Ｂに移動する。
【００３０】
以降、各位置に移動しながら、このようなデータ送信タイミングの通知とデータの集約、送信を繰り返す。これにより、ゲートウェイ装置が移動しながら、各デバイスから異なるタイミングでデータを収集できる。そして、セル内において、ユーザが所望するデータを提供できる全てのデバイスから、無線ネットワークにおける輻輳やオーバーロードの懸念なくデータを収集することができる。
【００３１】
図６は、ゲートウェイ装置２０４が、各位置でデバイスからデータを収集する流れを示すタイムチャートである。
【００３２】
ゲートウェイ装置２０４は、位置Ａの近傍に存在する全てのデバイスＡ１〜Ａｘ（図２におけるデバイス２１１〜２１３に対応）に対して、マルチキャストでコアネットワーク２０２からのポリシーに応じたそれぞれ異なるデータ送信タイミングを通知する（Ｓ６０１）。
【００３３】
例えば温度センサであるデバイスＡ１はゲートウェイ装置２０４から受信したランダムなタイミング情報で示されたＴｗ（Ａ１）だけ待ってから温度情報を送信する。同様に、デバイスＡｘはゲートウェイ装置２０４から受信したランダムなタイミング情報で示されたＴｗ（Ａｘ）だけ待ってから温度情報を送信する。つまり、各デバイスは、ゲートウェイ装置２０４から別々に指定された時間だけ待ってデータ送信を行なう。
【００３４】
ゲートウェイ装置２０４は、あらかじめ設定していた位置Ａにおける最大待機時間Ｔｗ（Ａ）までデバイスＡ１〜Ａｘからの送信データを蓄積しておき、最大待機時間Ｔｗ（Ａ）になった時点でデバイスＡ１〜Ａｘから収集した温度データを集約したうえでＭＴＣサーバ２０１に送信する（Ｓ６０３）。ここで最大待機時間Ｔｗ（Ａ）は、位置Ａの周囲のデバイスの数に応じて決めればよく、位置ごとに異なる値でよい。
【００３５】
このときゲートウェイ装置２０４は、あらかじめ定められた閾値よりも高い受信信号強度(RSSI: Received Signal Strength Indicator)で送られたデバイスからの送信データのみを収集する。これにより位置Ａに存在するゲートウェイ装置２０４の近傍のデバイスからの信号のみを収集することになる。
【００３６】
ゲートウェイ装置２０４が各デバイスの近傍まで移動することでデバイスの送信電力を抑えることができる。ゲートウェイ装置２０４は、位置Ａでのデータの集約送信を終えると、位置Ｂに移動し位置Ａと同様にデバイスに向けて再度マルチキャストを使ってタイミング通知を行う（Ｓ６０５）。この時、位置Ａで収集済みのデバイスの識別子は除外する。同様に位置Ｂでの集約送信データの送信を終えると位置Ｃに移動し同様の動作を行う（Ｓ６０７）。
【００３７】
つまりゲートウェイ装置２０４は、各位置において、データを未収集の全デバイスに対して、データ送信タイミングをマルチキャストで指示し、データ収集済みのデバイスが増えれば、徐々にタイミング通知するデバイスを減らしていく。
【００３８】
以上の処理により、ゲートウェイ装置２０４は、あらかじめ設定されたデータ受信期間にデバイス２１１〜２１９から送信されてくるデータを集約したうえで基地局２０３、コアネットワーク２０２を介してＭＴＣサーバ２０１に送信する。
【００３９】
デバイスからゲートウェイ装置２０４に送信するための無線リソースは時間的に分割され、共有されることでセル２１０内の無線リソースの消費を抑えながら、ネットワークの輻輳を回避することができる。
【００４０】
ゲートウェイ装置２０４の移動パターンは様々なものが考えられる。例えば、セル２１０内を一定方向に巡回してもよいし、セル２１０内をランダムに巡回してもよい、さらに基地局２０３からの指示により特定ポイントに優先的に移動してもよい。基地局２０３によって設定されるセル内の各位置を優先順位に基づいて巡回させてもよい。ゲートウェイ装置２０４を、データ発生が予測される、例えば正時に合わせて巡回させてもよい。ゲートウェイ装置２０４の移動タイミングおよび移動先を、基地局２０３が指示してもよいし、コアネットワーク２０２を介してＭＴＣサーバ２０１が指示してもよい。さらにゲートウェイ装置２０４が、セル内のデバイス配置を取得した上で自らタイミングおよび場所を判断して移動してもよい。
【００４１】
また、各位置で、送信タイミングをマルチキャストするのではなく、出発地点で全デバイスに対して、送信タイミングをマルチキャストし、その送信タイミングに間に合うようにゲートウェイ装置２０４を各地点に移動させてもよい。その場合、送信タイミングは、地点間の移動時間を考慮したタイムラグを設けた方がよい。つまり位置Ａ、Ｂ、Ｃを回るのであれば、その順にタイムアウト時間を長くすればよい。
【００４２】
また、ゲートウェイ装置は、専用の機器でもよいし、スマートフォンなどにゲートウェイ機能を実装してもよい。つまり、図７に示すように、別々のユーザが所有するスマートフォン７４１〜７４３間で、ゲートウェイ機能を切り替えることにより、擬似的にゲートウェイ装置を移動させてもよい。
【００４３】
以上、本実施形態によれば、ＩｏＴデバイスからの送信時間が重ならないように制御することで同じ無線リソースを使うことが可能となり、無線リソースを効率的に使用することができる。また、複数のＩｏＴデバイスからの送信データをゲートウェイ装置で集約することで基地局での処理が軽減され、無線ネットワークの輻輳およびオーバーロードの緩和が期待できる。またゲートウェイ装置またはその機能がセル内を移動することで、ＩｏＴデバイスのデータ送信距離を短くすることができ、デバイスの送信電力を抑えることで、ＩｏＴデバイスの長期間動作が可能となる。
【００４４】
［他の実施形態］
また、実施形態を参照して本発明を説明したが、本発明は上記実施形態に限定されるものではない。本発明の構成や詳細には、本発明のスコープ内で当業者が理解し得る様々な変更をすることができる。また、それぞれの実施形態に含まれる別々の特徴を如何様に組み合わせたシステムまたは装置も、本発明の範疇に含まれる。
【００４５】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【００４６】
［実施形態の他の表現］
上記の実施形態の一部又は全部は、以下の付記のようにも記載されうるが、以下には限られない。
（付記１）
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理装置。
（付記２）
第１位置において、第１タイミングでゲートウェイ機能を実行して、前記第１位置付近に存在するデバイスからデータを収集し、基地局に対して集約データを送信し、
前記第１位置とは異なる第２位置において、前記第１タイミングとは異なる第２タイミングでゲートウェイ機能を実行して、前記第２位置付近に存在するデバイスからデータを収集し、前記基地局に対して集約データを送信するように、
第１位置から第２位置まで移動する１つのゲートウェイ装置を制御する付記１に記載の情報処理装置。
（付記３）
第１位置において、第１タイミングで、前記第１位置付近に存在するデバイスからデータを収集し、基地局に対して集約データを送信する第１ゲートウェイ装置と、
前記第１位置とは異なる第２位置において、前記第１タイミングとは異なる第２タイミングで、前記第２位置付近に存在するデバイスからデータを収集し、前記基地局に対して集約データを送信する第２ゲートウェイ装置とを制御する付記１に記載の情報処理装置。
（付記４）
前記ゲートウェイ装置を、前記基地局によって設定されるセル内の各位置を一定方向に巡回させる付記３に記載の情報処理装置。
（付記５）
前記ゲートウェイ装置を、前記基地局によって設定されるセル内の各位置をランダムに巡回させる付記３に記載の情報処理装置。
（付記６）
前記ゲートウェイ装置を、前記基地局によって設定されるセル内の各位置を優先順位に基づいて巡回させる付記３に記載の情報処理装置。
（付記７）
前記ゲートウェイ装置が、各位置において、前記デバイスに対して、異なるデータ送信タイミングをマルチキャストで指示し、前記データ送信タイミングのうち、最後の時刻まで前記各デバイスから受信したデータを蓄積して前記基地局に送信するように前記ゲートウェイ装置を制御する付記１乃至６のいずれか１項に記載の情報処理装置。
（付記８）
前記第１位置に存在する前記ゲートウェイ装置と、前記第２位置に存在する前記ゲートウェイ装置とで、前記データ送信タイミングを変化させる付記７に記載の情報処理装置。
（付記９）
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信する送信手段と、
前記第１位置から前記第２位置まで移動する移動手段と、
を備えたゲートウェイ装置。
（付記１０）
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理方法。
（付記１１）
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理プログラム。
【００４７】
この出願は、２０１６年９月２３日に出願された日本出願特願２０１６−１８６２２３を基礎とする優先権を主張し、その開示の全てをここに取り込む。
【図１Ａ】
2018056385.tif 000003
【図１Ｂ】
2018056385.tif 000004
【図２】
2018056385.tif 000005
【図３】
2018056385.tif 000006
【図４】
2018056385.tif 000007
【図５】
2018056385.tif 000008
【図６】
2018056385.tif 000009
【図７】
2018056385.tif 000010
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理装置。
【請求項２】
第１位置において、第１タイミングでゲートウェイ機能を実行して、前記第１位置付近に存在するデバイスからデータを収集し、基地局に対して集約データを送信し、
前記第１位置とは異なる第２位置において、前記第１タイミングとは異なる第２タイミングでゲートウェイ機能を実行して、前記第２位置付近に存在するデバイスからデータを収集し、前記基地局に対して集約データを送信するように、
第１位置から第２位置まで移動する１つのゲートウェイ装置を制御する請求項１に記載の情報処理装置。
【請求項３】
第１位置において、第１タイミングで、前記第１位置付近に存在するデバイスからデータを収集し、基地局に対して集約データを送信する第１ゲートウェイ装置と、
前記第１位置とは異なる第２位置において、前記第１タイミングとは異なる第２タイミングで、前記第２位置付近に存在するデバイスからデータを収集し、前記基地局に対して集約データを送信する第２ゲートウェイ装置と、
を制御する請求項１に記載の情報処理装置。
【請求項４】
前記ゲートウェイ装置を、前記基地局によって設定されるセル内の各位置を一定方向に巡回させる請求項３に記載の情報処理装置。
【請求項５】
前記ゲートウェイ装置を、前記基地局によって設定されるセル内の各位置をランダムに巡回させる請求項３に記載の情報処理装置。
【請求項６】
前記ゲートウェイ装置を、前記基地局によって設定されるセル内の各位置を優先順位に基づいて巡回させる請求項３に記載の情報処理装置。
【請求項７】
前記ゲートウェイ装置が、各位置において、前記デバイスに対して、異なるデータ送信タイミングをマルチキャストで指示し、前記データ送信タイミングのうち、最後の時刻まで前記各デバイスから受信したデータを蓄積して前記基地局に送信するように前記ゲートウェイ装置を制御する請求項１乃至６のいずれか１項に記載の情報処理装置。
【請求項８】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信する送信手段と、
前記第１位置から前記第２位置まで移動する移動手段と、
を備えたゲートウェイ装置。
【請求項９】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理方法。
【請求項１０】
第１位置において、第１タイミングでゲートウェイ機能を実行して、前記第１位置付近に存在する複数のデバイスからデータを収集し、基地局に対して集約データを送信し、
前記第１位置とは異なる第２位置において、前記第１タイミングとは異なる第２タイミングでゲートウェイ機能を実行して、前記第２位置付近に存在する複数のデバイスからデータを収集し、前記基地局に対して集約データを送信するように、
少なくとも１つのゲートウェイ装置を制御する情報処理プログラム。
【国際調査報告】
2018056385.tif 000011
2018056385.tif 000012